(57)【要約】【課題】  データの特殊再生を終了してから通常再生を再開するまでの時間が実質的に短縮された再生装置および再生用操作装置ならびに再生方法を提供する。【解決手段】  光ディスク再生装置において、制御部は、第１光センサ部からの第１パルス信号に基づいて操作円盤部の回転方向および回転速度を判別し、操作円盤部が、予め定められた時間以上停止した後、基準回転方向へ回転したと判別した場合に、回転盤を一時的に基準回転速度よりも高速で回転させる。【選択図】      図３
2005174524.tif 000002
【特許請求の範囲】
【請求項１】
記録媒体に記録されたデータを読み取る読取部と、
前記読取部が読み取ったデータを記憶する記憶部と、
前記記憶部が記憶したデータを読み出して再生する再生部と、
予め定められた基準回転速度および基準回転方向で駆動部により回転される回転盤と、
前記円盤部上にこれとともに回転可能に設けられ、前記再生部が所望のデータ再生を行うよう、ユーザが所望の回転方向および回転速度で回転操作可能に構成された操作円盤部と、
前記操作円盤部の回転方向および回転速度に応じたパルス信号を出力するセンサ部と、
前記センサ部からのパルス信号に基づいて前記操作円盤部の回転方向および回転速度を判別し、前記操作円盤部が、予め定められた時間以上停止している状態から、前記基準回転方向へ回転を始めたと判別した場合に、前記回転盤を一時的に前記基準回転速度よりも高速で回転させるよう前記駆動部を制御する制御部と、
を備える、ことを特徴とする再生装置。
【請求項２】
前記制御部は、前記回転盤が高速回転されるように、前記駆動部に所定電圧値のパルス電力が印加されるよう制御する、ことを特徴とする請求項１に記載の再生装置。
【請求項３】
予め定められた基準回転速度および基準回転方向で駆動部により回転される回転盤と、
前記円盤部上にこれとともに回転可能に設けられ、外部に接続されたデータ再生装置が所望のデータ再生を行うよう、ユーザが所望の回転方向および回転速度で回転操作可能に構成された操作円盤部と、
前記操作円盤部の回転方向および回転速度に応じたパルス信号を出力するセンサ部と、
前記センサ部からのパルス信号に基づいて前記操作円盤部の回転方向および回転速度を判別し、前記操作円盤部が、予め定められた時間以上停止した後、前記基準回転方向へ回転したと判別した場合に、前記回転盤を一時的に前記基準回転速度よりも高速で回転させるよう駆動部を制御する制御部と、
を備える、ことを特徴とする再生用操作装置。
【請求項４】
記録媒体に記録されたデータを読み取る読取部と、前記再生部が読み取ったデータを記憶する記憶部と、前記記憶部が記憶したデータを読み出して再生する再生部と、予め定められた基準回転速度および基準回転方向で駆動部により回転される回転盤と、前記円盤部上にこれとともに回転可能に設けられ、前記再生部が所望のデータ再生を行うよう、ユーザが所望の回転方向および回転速度で回転操作可能に構成された操作円盤部と、前記操作円盤部の回転方向および回転速度に応じたパルス信号を出力するセンサ部と、を備える再生装置を用いる再生方法であって、
前記センサ部からのパルス信号に基づいて前記操作円盤部の回転方向および回転速度を判別し、前記操作円盤部が、予め定められた時間以上停止した後、前記基準回転方向へ回転したと判別した場合に、前記回転盤を一時的に前記基準回転速度よりも高速で回転させるよう前記駆動部を制御する、ことを特徴とする再生方法。
【発明の詳細な説明】
【技術分野】
【０００１】
本発明は、記録媒体に記録されたデータをユーザが所望するように再生可能な再生装置および再生用操作装置ならびに再生方法に関する。
【背景技術】
【０００２】
オーディオ再生装置を操作してアナログオーディオデータを再生するユーザ、例えば、ディスクジョッキー（Disc Jockey（以下、DJという。））は、アナログレコードを再生している最中に、擦れ音のような効果音を発生させるスクラッチ再生と呼ばれる特殊再生を行うことがある。ユーザは、アナログレコードを用いてスクラッチ再生を行う場合、アナログレコードを素早く正方向又は逆方向に回すことにより擦れ音を発生させる。
【０００３】
このアナログレコードプレーヤを用いたスクラッチ再生と同様の特殊再生を、ＣＤ（コンパクトディスク）に記録されたデジタルオーディオデータに関して行うことのできるCDプレーヤがある。このCDプレーヤは、ジョグダイヤルとメモリを備え、CDから読み取ったオーディオデータをメモリに記憶し、これを再生する。ユーザはアナログレコードと同様にジョグダイヤルを正方向又は逆方向に回すことにより、メモリに記憶されたオーディオデータの読み出し速度と読み出し順序を変化させることができる。このようにしてユーザは、ＣＤについてもアナログレコードと同様のスクラッチ再生等の特殊再生を行うことができる（例えば、下記特許文献１参照）。
【０００４】
【特許文献１】特開平６−０８９５０１号公報
【０００５】
詳細には、このCDプレーヤは、ジョグダイヤルが操作されない状態では、メモリに記憶されたオーディオデータを標準速度および標準順序で読み出す（以下、通常再生という。）。ジョグダイヤルが回転操作されると、CDプレーヤは、ジョグダイヤルの回転速度及び回転方向に応じて、メモリに記憶したオーディオデータを速度及び順序を変えて読み出す（以下、特殊再生という。）。
【０００６】
ジョグダイヤルを、モータ等によって回転駆動される円盤部上に操作円盤部を設けた操作部として構成した光ディスク再生装置を、本出願人は特許出願した（特願２００２−２４０４４３、平成１４年８月２１日出願）。図５は、上記特許出願明細書に記載の光ディスク再生装置における操作部１４０’の構成を示す図である。図５に示す操作部１４０’では、ユーザが操作可能な操作円盤部２８’が円盤部２５’上に低摩擦性のシート部２７’を介して設けられている。
【０００７】
円盤部２５’の回転速度及び回転方向は、第２光センサ部３２’からの出力に基づき判別される。操作円盤部２８’の回転速度及び回転方向は、第１光センサ部３１’からの出力に基づき判別される。円盤部２５’は、基準回転方向（例えば、時計回り）に、基準回転速度（例えば、アナログレコードの回転速度）で回転している。通常再生時、操作円盤部２８’は円盤部２５’と同じ速度および方向で回転している。
【０００８】
特殊再生時、すなわち、操作円盤部２８がユーザの手により回転操作された場合、操作円盤部２８’は、円盤部２５’と異なる速度又は方向で回転している。このとき、光ディスク再生装置の制御部は、第１光センサ部３１’からの出力に基づき操作円盤部２８’の回転方向及び回転速度を判別して、これに合わせてメモリに記憶されたオーディオデータの読み出し順序及び読み出し速度を制御する。
【０００９】
特殊再生が終了した後、ユーザの手が離れた操作円盤部２８’は、円盤部２５’の回転に追従し始め、やがて円盤部２５’とともに基準速度及び基準回転方向で回転する。このとき、制御部は、第１光センサ部３１’及び第２光センサ部３２’の出力から操作円盤部２８’が円盤部２５’と同じ基準速度及び基準回転方向で回転していると判別し、通常再生を再開する。このようにして、この光ディスク再生装置は、ユーザが所望するデータ再生（通常再生および特殊再生）を提供する。
【発明の開示】
【発明が解決しようとする課題】
【００１０】
上記のように、光ディスク再生装置は、ユーザの操作に応じて通常操作と特殊操作とを繰り返す。しかし、上記従来の光ディスク再生装置では特殊再生から通常再生に戻るまでに要する時間が比較的長くなる場合がある。図６に、特殊再生を終了してから通常再生を再開するまでに、第１光センサ部３１’から出力される第１パルス信号及び第２光センサ部３２’から出力される第２パルス信号を示す。
【００１１】
図６に示すように、特殊再生が終了した時点（Ａ）から、操作円盤部２８’はユーザの手が実際に離れるまで一旦停止し、その後、シート部２７’の上を摺動し徐々に回転速度を上げながら円盤部２５’の回転に追従する。このとき、第１光センサ部３１’は、図６に示すように、操作円盤部２８’の回転速度の上昇に伴い、徐々に第１パルス信号を短い間隔で出力する。操作円盤部２８’の回転が円盤部２５’の回転と一致すると、第１光センサ部３１’は、基準速度及び基準回転方向を示す第２パルス信号と同じ幅の第１パルス信号を出力する。制御部は、第１パルス信号と第２パルス信号とから操作円盤部２８’が円盤部２５’と同じ基準速度及び基準回転方向で回転していると判別した時点（Ｂ）において通常再生を行うよう制御する。このため、図６に示すように、特殊再生を終了した時点（Ａ）から通常再生が再開される時点（Ｂ）までの間に時間Δｔ0を要する。
【００１２】
通常、ユーザは、特殊再生を終了させて通常再生を再開する場合、特殊再生を行っている状態から再生する音楽の曲調のタイミング（テンポ）に合わせて操作円盤部２８’から手を離し、通常再生を再開させる。ユーザは、音楽のテンポに合わせ通常再生を再開させるために、特殊再生が終了してから通常再生が再開されるまでに掛かる時間を考慮し、通常再生の再開を所望する時点より早い時点で予め操作（スクラッチ）を終了させる必要がある。このため、特殊再生を終了してから通常再生が再開するまでの時間Δｔ0が比較的長い場合には、音楽のテンポに合わせて通常再生を再開させることが難しい場合がある。このため、ユーザ、特にＤＪ等の音楽に感受性の強いユーザに十分な満足を与えられないことがありうる。
このように、従来より、特殊再生を終了してから通常再生を再開するまでの時間が出来る限り短く、ユーザに十分な満足を与えることのできるデータ再生装置が望まれていた。
【００１３】
上記事情を鑑みて、本発明は、ユーザに十分な満足を与えられる再生装置および再生用操作装置ならびに再生方法を提供することを目的とする。
また、本発明は、データの特殊再生を終了してから通常再生を再開するまでの時間が実質的に短縮された再生装置および再生用操作装置ならびに再生方法を提供することを目的とする。
【課題を解決するための手段】
【００１４】
上記目的を達成するため、本発明の第１の観点に係る再生装置は、
記録媒体に記録されたデータを読み取る読取部と、
前記読取部が読み取ったデータを記憶する記憶部と、
前記記憶部が記憶したデータを読み出して再生する再生部と、
予め定められた基準回転速度および基準回転方向で駆動部により回転される回転盤と、
前記円盤部上にこれとともに回転可能に設けられ、前記再生部が所望のデータ再生を行うよう、ユーザが所望の回転方向および回転速度で回転操作可能に構成された操作円盤部と、
前記操作円盤部の回転方向および回転速度に応じたパルス信号を出力するセンサ部と、
前記センサ部からのパルス信号に基づいて前記操作円盤部の回転方向および回転速度を判別し、前記操作円盤部が、予め定められた時間以上停止している状態から、前記基準回転方向へ回転を始めたと判別した場合に、前記回転盤を一時的に前記基準回転速度よりも高速で回転させるよう前記駆動部を制御する制御部と、
を備える。
【００１５】
上記構成の再生装置において、前記制御部は、例えば、前記回転盤が高速回転されるように、前記駆動部に所定電圧値のパルス電力が印加されるよう制御する。
【００１６】
上記目的を達成するため、本発明の第２の観点に係る再生用操作装置は、
予め定められた基準回転速度および基準回転方向で駆動部により回転される回転盤と、
前記円盤部上にこれとともに回転可能に設けられ、外部に接続されたデータ再生装置が所望のデータ再生を行うよう、ユーザが所望の回転方向および回転速度で回転操作可能に構成された操作円盤部と、
前記操作円盤部の回転方向および回転速度に応じたパルス信号を出力するセンサ部と、
前記センサ部からのパルス信号に基づいて前記操作円盤部の回転方向および回転速度を判別し、前記操作円盤部が、予め定められた時間以上停止した後、前記基準回転方向へ回転したと判別した場合に、前記回転盤を一時的に前記基準回転速度よりも高速で回転させるよう前記駆動部を制御する制御部と、
を備える。
【００１７】
上記目的を達成するため、本発明の第３の観点に係る再生方法は、
記録媒体に記録されたデータを読み取る読取部と、前記再生部が読み取ったデータを記憶する記憶部と、前記記憶部が記憶したデータを読み出して再生する再生部と、予め定められた基準回転速度および基準回転方向で駆動部により回転される回転盤と、前記円盤部上にこれとともに回転可能に設けられ、前記再生部が所望のデータ再生を行うよう、ユーザが所望の回転方向および回転速度で回転操作可能に構成された操作円盤部と、前記操作円盤部の回転方向および回転速度に応じたパルス信号を出力するセンサ部と、を備える再生装置を用いる再生方法であって、
前記センサ部からのパルス信号に基づいて前記操作円盤部の回転方向および回転速度を判別し、前記操作円盤部が、予め定められた時間以上停止した後、前記基準回転方向へ回転したと判別した場合に、前記回転盤を一時的に前記基準回転速度よりも高速で回転させるよう駆動部を制御する。
【発明の効果】
【００１８】
本発明によれば、ユーザに十分な満足を与えられる再生装置および再生用操作装置ならびに再生方法が提供される。
また、本発明によれば、データの特殊再生を終了してから通常再生を再開するまでの時間が実質的に短縮された再生装置および再生用操作装置ならびに再生方法が提供される。
【発明を実施するための最良の形態】
【００１９】
以下、本発明の実施の形態にかかる光ディスク再生装置について、図面を参照して詳細に説明する。以下では、ユーザ、例えばディスクジョッキー（以下、DJ）がその操作によりCD（compact disk）に記録されたオーディオデータを通常再生または特殊再生することができるCDプレーヤを例として説明する。
【００２０】
図１は、本発明の一実施形態に係る光ディスク再生装置の構成を示すブロック図である。図１に示す光ディスク再生装置１００は、ターンテーブル１と、スピンドルモータ２と、サーボ制御部３と、光ピックアップ４と、アンプ５と、信号処理部６と、メモリ制御部７と、RAM（Random Access Memory）８と、DAC（Digital to Analog Converter）９と、出力アンプ１０と、出力端子１１と、制御部１２と、表示部１３と、操作部１４と、電力印加部１５と、を備える。図示しないが、光ディスク再生装置１００では、１つの筐体内にCDの再生部と、後述するジョグダイヤル部とが一体化して収容されている。
【００２１】
スピンドルモータ２に固定されたターンテーブル１上には、デジタルオーディオデータが記録されたCDが固定状態で載置される。サーボ制御部３は、スピンドルモータ２を所定の線速度で回転駆動させる。また、サーボ制御部３は、後述する光ピックアップ４からのレーザ光をCDのピット列を正しくトレースするために、図示しないフォーカスサーボ回路とトラッキングサーボ回路を制御する。
【００２２】
光ピックアップ４は、回転状態のCDからオーディオデータを読み取る。読み取られたデジタルオーディオデータは、アンプ５により波形整形及び増幅され信号処理部６に入力される。信号処理部６は、デジタルオーディオデータの復調、フォーカスエラー信号やトラッキングエラー信号等のエラー信号、同期信号の抜き出し等の処理をしてデジタルオーディオデータをメモリ制御部７に出力する。
【００２３】
メモリ制御部７は、出力されたデジタルオーディオデータをRAM８が記憶するよう制御する。RAM８が記憶したデジタルオーディオデータは、メモリ制御部７の制御により適宜読み出されDAC９に入力される。メモリ制御部７は、後述するように、RAM８に記憶されたデジタルオーディオデータの読み出し速度及び読み出し順序（オーディオデータを昇順アドレスで読み出す又は降順で読み出す）を制御する。
【００２４】
DAC９は、デジタルオーディオデータをアナログオーディオ信号に変換し出力アンプ１０に出力する。DAC９から入力されたアナログオーディオ信号は、出力アンプ１０により増幅され出力端子１１に接続したスピーカ等から出力される。
【００２５】
表示部１３は、液晶ディスプレイ等から構成される。表示部１３は、現在再生しているトラックの再生時間（分、秒、フレーム）の表示、トラックナンバー等の属性情報を表示する。これらの属性情報もまたCDからデジタルデータとして読み取られる。
【００２６】
操作部１４は、ユーザが光ディスク再生装置１００に所望の入力操作を行うためのインタフェースを構成する。操作部１４は、以下に詳述するジョグダイヤル部のほかに、例えば、再生開始ボタン、再生停止ボタン、後述する立ち上がり時間及び停止時間を設定する設定ボタン、再生開始時間を指定する指定ボタン、イジェクトボタン等を備えている。
【００２７】
図２に、本実施の形態にかかるジョグダイヤル部１４０の断面図を示す。図２に示すジョグダイヤル部１４０は、モータ２１と、回転軸２２と、固定保持部２３と、保持部２４と、円盤部２５と、スリット部２６と、シート部２７と、操作円盤部２８と、ストッパー部２９と、パネル３０と、第１光センサ部３１と、第２光センサ部３２と、を備える。
【００２８】
ジョグダイヤル部１４０は、本実施の形態にかかる光ディスク再生装置１００の筐体を構成するパネル３０の上面から露出して設けられている。図示しないが、パネル３０の下方には、上述したターンテーブル１等の他の構成要素が配置されている。後述するように、ユーザは、筐体の表面に露出するジョグダイヤル部１４０を回転操作して所望のデータ再生を実現する。
【００２９】
パネル３０の下方にモータ２１が固定されている。モータ２１の回転軸は、回転軸２２と接続されている。円盤部２５は、例えば、アルミニウム（Ａｌ）部材から構成される。回転軸２２には、固定保持部２３が固定されている。保持部２４は、固定保持部２３の上面に載置されている。保持部２４は、摩擦係数の大きい部材であり、例えば、ゴム等の弾性体である。
【００３０】
モータ２１は、基準回転方向（例えば、時計回り）で、基準回転速度（例えば、アナログレコードプレーヤの再生時におけるターンテーブルの角速度）で、回転盤２５を回転させる。円盤部２５の基準回転速度は、例えば、毎分５４回転とされる。
【００３１】
円盤部２５は、保持部２４の上に設けられている。円盤部２５の下面には、スリット部２６が設けられている。スリット部２６は、例えば、円盤部２５と同材質であり、円盤部２５の周縁付近に、これと略垂直に設けられたリング状の板状部分から構成される。スリット部２６は、例えば、等間隔に等サイズの長方形状のスリットを有する。
【００３２】
シート部２７は、円盤部２５の上に、その表面をほぼ覆うように設けられている。シート部２７は、摩擦係数が小さく、静電気が発生しにくい樹脂材料等から構成されていることが好ましい。シート部２７は、例えば、直径が１６４ｍｍで重量が約１９gのポリエステル樹脂部材から構成される。
【００３３】
操作円盤部２８は、シート部２７を介した円盤部２５の上に設けられている。操作円盤部２８は、例えば、重量が約４３gのポリ塩化ビニル樹脂（ＰＶＣ）部材から構成される。操作円盤部２８は、円盤部２５よりも大きい径を有し、その外周部が円盤部よりも外周側にあるよう配置されている。操作円盤部２８の外周部には、例えば、等間隔に等サイズの長方形状のスリット３３が設けられている。後述するように、ユーザは操作円盤部２８を回転操作することにより、所望の操作入力を行う。
【００３４】
ストッパー部２９は、保持部２４、円盤部２５、シート部２７及び操作円盤部２８が回転軸２２に固定する。
【００３５】
操作円盤部２８は、回転盤２５とともに回転可能である一方で、ユーザの回転操作時にはシート部２７上を摺動して独立に回転可能に構成されている。すなわち、操作円盤部２８はシート部２７の適度の抵抗により回転盤２５と一体に回転可能である一方で、ユーザの操作時にはシート部２７上を摺動して回転操作自在である。
【００３６】
第１光センサ部３１は、図示しない２つの光センサを備え、スリット３３を検出できる位置にパネル３０に固定されている。第１光センサ部３１の光センサは、操作円盤部２８のスリット３３を検出し、操作円盤部２８の回転状態（回転速度及び回転方向）に応じた第１パルス信号を発生し制御部１２へ出力する。
【００３７】
具体的には、光センサは、スリット３３の検出頻度に応じた頻度で第１パルス信号を発生し、制御部１２はその頻度、例えば、所定時間内に受け取ったパルス数から操作円盤部２８の回転速度を判別する。また、操作円盤部２８の回転方向が変化すると、この２つの光センサそれぞれが発生するパルス信号の位相差は、操作円盤部２８の回転方向に応じて変化する。制御部１２は、この２つ第１パルス信号の位相差から操作円盤部２８の回転方向を判別する。制御部１２は、判別した操作円盤部２８の回転状態に応じて、RAM８に記憶されたデジタルオーディオデータを信号に応じた速度及び順序で読み出すよう、メモリ制御部７を制御する。
【００３８】
第２光センサ部３２は、図示しない２つの光センサから構成され、スリット部２６のスリットを検出できる位置にパネル３０に固定されている。第２光センサ部３２の光センサは、円盤部２５のスリット部２６のスリットを検出し、円盤部２５の回転状態に応じた第２パルス信号を発生し制御部１２へ出力する。制御部１２は、上記した第１パルス信号と同様に、第２パルス信号に基づいて回転盤２５の回転状態を判別し、円盤部２５の回転速度を所定の回転速度に保つようにモータ２１を制御する。
【００３９】
図１に戻り、電力印加部１５は、モータ２１に予め定めた電圧値の電力を予め定めた時間印加する。制御部１２は、操作回転盤２８が所定時間以上停止している状態で、基準回転方向への回転を始めたと判別したとき、電力印加部１５がモータ２１に所定電力を印加するよう制御する。
【００４０】
例えば、制御部１２は、第１光センサ部３１から一定時間（例えば、０．４msec、２０msec）第１パルス信号が入力されない状態において、操作円盤部２８の基準回転方向への回転を示す第１パルス信号を受け取ったとき、操作円盤部２８回転し始めたと判別し、電力印加部１５へ印加指示信号を出力する。電力印加部１５は、制御部１２から印加指示信号が受け取ると、モータ２１へ予め定めた電圧値（例えば、８V）を予め定めた時間（例えば、０．２msec、２０msec）現在印加されている電圧値に重畳して印加する。このとき、回転盤２５は加速され、一時的に基準回転速度よりも高速で回転する。これにより、後述するように、操作回転盤２８が停止状態から基準回転速度に達するまでに要する時間は実質的に短縮される。
【００４１】
以下、上記構成の光ディスク再生装置１００の、特殊再生を行う場合の動作について説明する。なお、以下に示す例では、操作円盤部２８が基準回転速度で回転している場合にRAM８からデジタルオーディオデータを読み出す速度を、基準読み出し速度（通常再生時の読み出し速度）という。また、操作円盤部２８が基準回転方向で回転している場合にRAM８からデジタルオーディオデータを読み出す順序を、基準読み出し順序（通常再生時の読み出し順序）という。
【００４２】
先ず、ユーザが特殊再生、特に、再生を停止させる場合における、光ディスク再生装置１００の動作について説明する。
【００４３】
先ず、ユーザは、基準回転速度及び基準回転方向で回転している操作円盤部２８に手を乗せ回転速度を徐々に遅くする。このとき、円盤部２５は、シート部２７の摩擦係数が小さいため、操作円盤部２８の回転に影響されることなく、基準回転速度で回転しつづける。操作円盤部２８の回転速度が低下すると、第１光センサ部３１から一定時間に発生する第１パルス信号のパルス数は、操作円盤部２８の回転速度に応じて減少する。制御部１２は、第１光センサ部３１から一定時間内に受け取った第１パルス信号のパルス数から操作円盤部２８の回転速度を判別する。制御部１２は、判別した回転速度に応じて、RAM８から読み出すデジタルオーディオデータの速度を遅くするようメモリ制御部７を制御する。
【００４４】
操作円盤部２８の回転が停止したとき、第１光センサ部３１は、制御部１２に第１パルス信号を出力しない。制御部１２は、第１光センサ部３１から第１パルス信号の入力がない場合、メモリ制御部７をRAM８からデジタルオーディオデータの読み出しを停止するよう制御する。
【００４５】
次に、ユーザが特殊再生、特に、逆の順序で再生させる場合における、光ディスク再生装置の動作について説明する。
【００４６】
ユーザは、手で基準回転速度及び基準回転方向で回転している操作円盤部２８を逆方向（反時計回り）に回転させる。このとき、円盤部２５は、シート部２７の摩擦係数が小さいため、操作円盤部２８の回転速度及び回転方向に影響されることなく、基準回転速度及び基準回転方向で回転しつづける。制御部１２は、第１光センサ部３１から一定時間内に入力された第１パルス信号のパルス数から操作円盤２８の回転速度を判別する。また、制御部１２は、上述したように２つの第1パルス信号の位相差から操作回転盤２８の回転方向を判別する。制御部１２は、メモリ制御部７を介して、判別した回転速度及び回転方向に応じて、RAM８からのオーディオデータの読み出し速度及び順序を制御する。
【００４７】
また、逆に、ユーザが操作回転盤２８を正方向（基準回転方向）に基準回転速度よりも速い速度で回転させた場合には、制御部１２は、その回転速度を判別し、これに応じた速度でRAM８からオーディオデータを読み出すようメモリ制御部７を制御する。
【００４８】
光ディスク再生装置１００を用いて、いわゆるスクラッチ再生を行う場合、ユーザは、操作円盤部２８を素早く正方向又は逆方向に回転させ、または停止させる上記操作を繰り返す。制御部１２は、操作円盤部２８の回転速度及び回転方向を判別し、判別した回転速度及び回転方向に応じて、メモリ制御部７を制御する。メモリ制御部７は、RAM８に記憶されたデジタルオーディオデータの読み出し速度及び読み出し順序（オーディオデータを昇順アドレスで読み出す又は降順で読み出す）を制御する。RAM８から読み出されたデジタルオーディオデータは、DAC９によりアナログオーディオ信号に変換され、出力アンプ１０により増幅されて出力端子１１に接続したスピーカから擦れ音のような効果音として出力される。
【００４９】
以上のようにして、ユーザは、操作円盤部２８を回転操作することにより、通常再生と、スクラッチ再生等の特殊再生と、を所望のように行うことができる。
【００５０】
ここで、本実施の形態では、特殊再生から通常再生までに要する時間が実質的に短縮されている。以下、詳細に説明する。
ユーザが特殊再生を終了し、操作円盤部２８から手を離すと、操作円盤部２８は、停止した状態からシート部２７の上面を摺動し徐々に回転速度を上げながら円盤部の回転に追従する。従って、操作円盤部２８が停止状態から基準回転速度に達するまでにはある程度の時間が必要となり、この間も光ディスク再生装置は操作円盤部２８の回転速度に応じた、低速での読み出し制御を行う。この期間の低速での読み出しは、ユーザの意図しないものであり、音楽再生のテンポがずれるおそれがあるなどのことから、可能な限り短いことが好ましい。
【００５１】
本実施の形態に係る光ディスク再生装置１００では、操作円盤部２８が逆方向に回転された後基準回転速度で回転するまでの間の所定期間、円盤部２５を基準回転速度よりも高速で回転させる。これにより、円盤部２５により回転力を付勢される操作円盤部２８が、基準回転速度で回転するまでに要する時間は実質的に短縮される。
【００５２】
具体的には、制御部１２は、ユーザが逆方向への回転操作を終えて、ユーザの手が実際に離れ、回転を開始するまで一旦停止している状態から、回転操作盤２８が正方向への回転を開始した時点を検出し、このとき、円盤部２５の回転速度を上昇させるよう制御する。例えば、制御部１２は、第１光センサ部３１から例えば、４０msec以上第１パルス信号が入力されない（ユーザによる回転操作がない）状態から、操作円盤部２８の基準回転方向への回転を示す第１パルス信号を受け取ったとき、電力印加部１５へ印加指示信号を出力する。
【００５３】
電力印加部１５は、制御部１２から印加指示信号を受け取ると、モータ２１へ、例えば、２０msecの間、予め定めた電圧値、例えば、８Vの電力を印加する。モータ２１は、電力印加部１５から印加された電力により、一時的に回転を加速させ、電力の印加が終了するとその後基準回転速度で回転する。
【００５４】
操作円盤部２８の回転が円盤部２５の回転と一致すると、制御部１２は、第１光センサ部３１から受け取る第１パルス信号に基づき、操作円盤部２８が基準速度及び基準回転方向で回転していると判別する。このとき、制御部１２は、メモリ制御部７に通常再生時の基準読み出し速度及び基準読み出し順序で、RAM８からデジタルオーディオデータを読み出すよう制御する。
【００５５】
図３は、本光ディスク再生装置において、特殊再生が終了してから通常再生が再開されるまでに、第１光センサ部３１から出力される第１パルス信号、第２光センサ部３２から出力される第２パルス信号及び電力印加部１５からモータ２１に出力される電力パルス信号を示す図である。なお、第1パルス信号および第2パルス信号は２つあるが、そのうちの一方を示す。
【００５６】
図３に示すように、ユーザがスクラッチ再生を終了した時点（Ａ）から、ユーザの手が実際に操作回転盤２８から離れ、回転盤２５の回転に追従して回転を開始するまで、操作回転盤２８は一旦停止しており、この間第1光センサ部３１は第1パルス信号を発生しない。その後、停止していた操作円盤部２８は、シート部２７の上面を摺動しながら、基準回転方向へ回転し始める。制御部１２は、第１光センサ部３１から例えば４０msec第１パルス信号を受け取っていない状態で操作円盤部２８の基準回転方向への回転を示す第１パルス信号を受け取ると、電力印加部１５へ印加指示信号を出力する。電力印加部１５は、モータ２１へ２０msecの間、例えば、４Vの電圧値の電力を印加する。
【００５７】
モータ２１は、電力印加部１５から重畳して印加された電力により、一時的に回転が加速し、円盤部２５の回転も一時的に加速する。操作円盤部２８は、シート部２７の上面を摺動して加速しながら回転し始めている状態で操作円盤部２８の回転が一時的に加速すると、回転速度が増大する。これにより、操作円盤部２８は、円盤部２５が一時的に加速しない場合と比較して実質的に短い時間で基準回転速度に到達する。
【００５８】
操作円盤部２８の回転速度が基準回転速度に到達すると、第１光センサ部３１は、第２光センサ部３２が出力する第２パルス信号と同じ基準速度及び基準回転方向を示す間隔の第１パルス信号を出力する。制御部１２は第1パルス信号から、操作回転盤２８が基準回転方向および基準回転速度で回転している判別する。例えば、制御部２１は、第１パルス信号及び第２パルス信号を比較し、第１パルス信号が第２パルス信号と同一の間隔で入力されると、操作円盤部２８が基準速度及び基準回転方向で回転していると判別する。このとき、制御部１２は、図３に示すＢ点において通常再生を行うようメモリ制御部７を制御する。この実施形態によれば、ユーザが特殊再生を終了したＡ点から通常再生が再開されるＢ点までの時間Δｔは、図６に示す、回転盤２５が加速回転されない場合の時間Δｔ0より実質的に短いものとなる。
【００５９】
例えば、基準回転速度が毎分５４回転である場合、操作円盤部２８が基準回転方向で回転を開始しても電力印加部１５が電力印加をしない場合は、特殊再生を終了してから通常再生が再開されるまでの時間は約１７０msecである。しかし、電力印加部１５がモータ２１へ２０msec、８Vの電力印加をする場合には、特殊再生を終了してから通常再生が再開されるまでの時間は約８０msecである。したがって、電力印加により、約９０msec時間が短縮されることがわかる。
【００６０】
上述したように、本実施形態に係るの光ディスク再生装置１００では、操作円盤部２８が停止状態から基準回転方向への回転を開始したとき、円盤部２５が一時的に加速回転、高速回転することにより操作円盤部２８の回転の加速度が増大する。これにより、ユーザが特殊再生を終了してから通常再生が再開するまでに要する時間は、実質的に短い時間となる。
【００６１】
したがって、本実施形態の光ディスク再生装置によれば、ユーザは、特殊再生を終了させて通常の再生を再開する場合、音楽のテンポに合わせて通常再生を再開させることが容易となるなど、ユーザの満足度の向上が可能となる。
【００６２】
本発明は、上記実施の形態に限られず、種々の変更が可能である。
上記実施の形態では、操作回転盤２８が停止し、例えば４０msec以上第1パルス信号が生成されずかつ正方向への回転を検出した場合にモータ２１に例えば８Vの電圧値の電力を例えば２０msecの間印加するものとした。しかし、時間、電圧は上記例に限られず、用いる基準回転速度、回転盤２５等の材質、重さ等に応じて適宜選択可能である。
【００６３】
また、上記実施の形態では、電力印加部１５はモータ２１に一度パルス電力（電圧）を印加するものとした。しかし、これに限らず、２以上のパルスを断続的に印加するようにしてもよい。この場合、例えば、電圧値および／またはパルス幅が漸減するように複数のパルス電圧を印加してもよい。
【００６４】
また、制御部１２が電力印加部１５に電力印加を指示するタイミングは、上記例に限られない。例えば、制御部１２は、特殊再生から通常再生までの操作回転盤２５の回転状態を示す第1パルス信号の標準的な出力パターンや位相変化パターンを記憶しており、第1光センサ３１から受け取った第1パルス信号のパターンが、記憶したパターンと一致した場合に電力印加するようにしてもよい。
【００６５】
また、上記実施の形態では、制御部１２は、電力印加部１５を介してモータ２１に加速電力を印加するものとした。しかし、制御部１２は直接モータ２１を制御し、その回転速度を調節して一時的に高速回転させるようにしてもよい。
【００６６】
また、上記実施の形態では、操作部１２と光ピックアップ４等の読取部とが一体化した構成について説明した。しかし、これに限らず、操作部と読取部とを別個とした構成としてもよい。たとえば、図４に示すように、上記操作部１２と同様の構成を備える操作装置４００を介して、これに接続された再生装置４１０を操作（通常操作および特殊操作）するようにしてもよい。この場合、たとえば、操作装置４００の制御部４０１は、ユーザによる操作入力を検出すると、上述した特殊再生動作のための制御信号を再生装置４１０に送出する。これにより、ユーザは、操作装置４００を介して、再生装置４１０に所望のデータ再生を行わせることができる。
【００６７】
なお、上記実施の形態では、CDに記録されたオーディオデータを再生するCDプレーヤを例として説明した。しかし、本発明は、光ディスクに記録されたデータの再生を行ういかなる装置にも適用可能である。たとえば、DVD（デジタルバーサティルディスク）に記録された画像データの再生を行う装置にも適用可能である。この場合、通常再生あるいは特殊再生された画像データを、ディスプレイ、ホームシアター用映写機等に出力すればよい。
【００６８】
さらに、図４に示すように操作部４００を独立の装置とした場合には、磁気ディスク等の他の磁気的及び／または光学的記録媒体の再生装置に接続して、記録媒体から再生し、メモリに記憶されたデータの読み出し、出力をユーザが操作する構成も可能である。
【図面の簡単な説明】
【００６９】
【図１】図１は、本発明の実施形態に係る光ディスク再生装置の構成を示すブロック図である。
【図２】図２は、本発明の実施形態に係るジョグダイヤル部の断面図である。
【図３】図３は、本実施の形態における、第１パルス信号、第２パルス信号及びモータに印加されるパルス電圧の出力パターンを示す図である。
【図４】図４は、本発明の実施形態の変形例を示す図である。
【図５】図５は、従来の光ディスク再生装置におけるジョグダイヤル部の構成を示す図である。
【図６】図６は、従来の光ディスク再生装置における、第１パルス信号及び第２パルス信号の出力パターンを示す図である。
【符号の説明】
【００７０】
１  ターンテーブル、２  スピンドルモータ、３  サーボ制御部、
４  光ピックアップ、５  アンプ、６  信号処理部、
７  メモリ制御部、８  RAM、９  DAC、１０  出力アンプ、
１１  出力端子、１２  制御部、１３  表示部、１４  操作部、１５  電力印加部、
２１  モータ、２２  回転軸、２３  固定保持部、２４  保持部、
２５  円盤部、２６  スリット部、２７  シート部
２８  操作円盤部、２９  ストッパー部、３０  パネル、
３１  第１光センサ部、３２  第２光センサ部、３３  スリット
１００  光ディスク再生装置、１４０  ジョグダイヤル部
【図１】
2005174524.tif 000003
【図２】
2005174524.tif 000004
【図３】
2005174524.tif 000005
【図４】
2005174524.tif 000006
【図５】
2005174524.tif 000007
【図６】
2005174524.tif 000008